(57)【要約】【課題】ケーブル内の個々の光ファイバと端子とが正しく接続されていることを、簡易にかつ正確に確認する接続状況確認装置を実現する。【解決手段】光ケーブル４の一端のコネクタ５ａを挿入する差込み口１３の背面に、複数本の光ファイバのそれぞれに対応して異なる色相あるいは発光パターンの光源１５を設け、光ケーブル４の他端のコネクタ５ｂから光の状態を観察して接続を確認する。【選択図】図１
0003166071.tif 000002
【実用新案登録請求の範囲】
【請求項１】
複数本の光ファイバを両端のコネクタに接続してなる光ケーブルにおいて光ファイバとコネクタとの接続状況を確認する光ケーブルの接続状況確認装置であって、前記光ケーブルの一端のコネクタを挿入可能とした差込み口の背面に、前記複数本の光ファイバのそれぞれに対応して、異なる色相あるいは発光パターンの光源を設けたことを特徴とする光ケーブルの接続状況確認装置。
【請求項２】
前記光源がＬＥＤである請求項１に記載の光ケーブルの接続状況確認装置。
【考案の詳細な説明】
【技術分野】
【０００１】
本考案は、複数本の光ファイバを両端のコネクタに接続してなる光ケーブルにおける光ファイバとコネクタとの接続状況を確認する光ケーブルの接続状況確認装置に関する。
【背景技術】
【０００２】
例えば建物や車両、船舶等の中に使用する電気通信機器等の間には電気配線が行われるが、機器の交換やメンテナンス性を考慮して、固定配線ではなく、着脱の容易なプラグ（栓）とソケット（栓受け）との接続による配線とするのが普通である。そして機器と機器との間には両端にプラグを備えたケーブルが使用され、両端のプラグをそれぞれ各機器のソケットに差し込むことにより配線がなされることが多い。
【０００３】
そのような配線の一例を図６に示す。建物の躯体Ｓ内にある区画Ａ，Ｂにそれぞれ機器Ｍａ，Ｍｂが配置され、機器Ｍａ，Ｍｂにはソケット２ａ，２ｂが設けられている。ケーブル４の一方のプラグ３ａを機器Ｍａのソケット２ａに差し込み、他方のプラグ３ｂを機器Ｍｂのソケット３ｂに差し込んで回路を形成している。
【０００４】
機器が通信機器で配線が信号回路の場合、近年では従来の電線に代えて光ファイバを使用することが多くなっている。光ファイバの場合、プラグ、ソケットに相当するのは、電気的なコンタクト（ピン形接触片）に代わってフェルールと呼ばれる端子を備えた一対のコネクタである。
【０００５】
図７は光ケーブルの一方の端部を示す正面図である。ケーブル４の一端に、図６におけるプラグ３ａまたは３ｂに相当するコネクタ５が取り付けられている。
【０００６】
図８は図７における右側から見たコネクタ５の正面図である。コネクタ５には複数箇所（この例では８か所）の端子（フェルール）５２が配置されている。符号５３はコネクタ５の外周面に設けられたキーで、相手のコネクタの溝に嵌合する。また符号５１はガイドピン孔で、相手側のコネクタに設けた一対のガイドピンがこの中に挿入される。これらの組み合わせにより、コネクタ相互は所定の角度（向き）でしか連結できないような構造となっている。
【０００７】
したがって、ケーブル部分の配線が正しければ複数本の所定の回路同士がワンタッチで接続される筈であるが、メンテナンス等でケーブル部分の配線の接続をやり直す場合に、両端のコネクタに、対応する光ファイバが正しく接続されているかどうかを確認することが必要である。
【０００８】
電気配線の場合はテスタ等を使用して導通を確認するのが一般的であるが、光ケーブルの導通を確認するには光ケーブルの両側に光電気変換装置を用意し、電気信号に変えることにより行うか、コネクタに光を照射して反対側のコネクタで光を確認することが行われている。
【０００９】
光ケーブルには、機器の設計により、両側のコネクタ間のファイバを平行につなぐストレート結線と、逆転させるクロス結線とがある。ストレート結線の場合１本のケーブルの両側の端子の配置は左右のみが逆になる鏡像の関係となるが、クロス結線では上下、左右ともに反転する。そのため、光ケーブルを結線する時は、結線表と照合して確認しながら行う必要がある。
【００１０】
本考案の確認装置は、結線がこのような仕様に対応して正しく接続されているかどうかを含め、光ファイバと端子の接続を確認するために使用するものである。
【００１１】
なお、特許文献１には、通常の電気ケーブルにおいてケーブルの識別性を向上させるため、ケーブルの外周に全長に亘って光ファイバを添わせ、その一端から光を照射して他端部を発光させるようにすることが記載されている。
【００１２】
この例に限らず、光を利用する結線の確認は従来から行われているが、光ケーブルの場合には回線毎に光源をテープ等でコネクタに固定することを繰り返すので手間がかかり、テープ等の消耗も少なくないなど、改善が望まれていた。
【先行技術文献】
【特許文献】
【００１３】
【特許文献１】特開２００１−１４５２２１号公報
【考案の概要】
【考案が解決しようとする課題】
【００１４】
本考案は、前記特許文献１に記載の技術とは異なり、ケーブルそのものが光ファイバで構成されている場合において、個々の光ファイバと両端のコネクタとが正しく接続されていることを確認する簡易な接続状況確認装置を実現することを目的とする。
【課題を解決するための手段】
【００１５】
請求項１に記載の本考案は、複数本の光ファイバを両端のコネクタに接続してなる光ケーブルにおいて光ファイバとコネクタとの接続状況を確認する光ケーブルの接続状況確認装置であって、前記光ケーブルの一端のコネクタを挿入可能とした差込み口の背面に、前記複数本の光ファイバのそれぞれに対応して、異なる色相あるいは発光パターンの光源を設けたことを特徴とする光ケーブルの接続状況確認装置である。
【００１６】
請求項２に記載の本考案は、前記光源がＬＥＤである請求項１に記載の光ケーブルの接続状況確認装置である。
【考案の効果】
【００１７】
本考案によれば、ケーブルの一端のコネクタを装置に挿入し、光源を発光させることで、他端のコネクタにおける個々の端子を観察することにより、色相あるいは発光パターンから簡単にどのファイバであるか識別できるので、光ファイバとコネクタとの接続状況が簡単にかつ確実に確認できるという、すぐれた効果を奏する。
【図面の簡単な説明】
【００１８】
【図１】本考案第１の実施例の確認装置の使用状態を示す説明図である。
【図２】本考案第１の実施例における装置本体の斜視図である。
【図３】本考案に係わるコネクタにおける端子の配置を示す正面図である。
【図４】本考案第１の実施例における光源の発光パターンを示す図である。
【図５】本考案第２の実施例における装置本体の斜視図である。
【図６】本考案に係わる機器の配線状態を示す概念図である。
【図７】図６の配線に使用される光ケーブルの一端を示す正面図である。
【図８】図７における右側から見たコネクタの正面図である。
【考案を実施するための形態】
【００１９】
以下本考案の実施例を図面により説明する。
【実施例１】
【００２０】
図１は本考案第１の実施例の確認装置の使用状態を示す説明図、図２は装置本体の斜視図である。装置本体１にはコネクタの差込み口１３が設けられており、ここへコネクタ５ａを差し込む。差込み口１３内にはチェック用コネクタ１２があり、その背面（この図では下面）にはケーブルの回線数の光ファイバ、すなわち複数本の光ファイバのそれぞれに対応する光源１５が設けられている。
【００２１】
図３（ａ）はコネクタ５の外側（表側）から見た端子の配列を示す正面図であり、また（ｂ）はこれを接続するチェック用コネクタ１２の外側（表側）から見た端子の配列を示す正面図である。両者は互いに左右が反対の鏡像の関係にある。
【００２２】
光源１５は豆電球でもよいが、消費電力やメンテナンス等を考慮すればＬＥＤが好ましい。各光源は、仕切り板１４により独立に、１本の光ファイバ（繊維が１本でなくても、１束として同一回路に対応しているもの）のみに光を放射する。符号１１はスイッチである。バッテリーやＬＥＤの駆動回路等の電源部分については図示を省略する。
【００２３】
図１に矢印で示したように、ケーブル４の他端で、コネクタ５ｂの部分から端子孔を覗くと光源１５の光が観察できる。ケーブル４が図８で例示したように８回線であれば、光源１５には８個のＬＥＤが使用されているわけであるが、発光する色相、あるいは発光パターンを変えることにより８個すべての光が識別できるようにしてある。言い換えれば、コネクタ５を差し込む際の向きを規定するキーもしくはキー溝などの基準となる位置に対する相対位置が異なるケーブル４毎に、互いに異なる色相もしくは発光パターンの光を入光させるように構成されている。ここで、異なる発光パターンには、ケーブル４に対する入光の順序もしくはタイミングが異なることを含む。
【００２４】
その一例を図４により説明する。回路の線番Ａ〜Ｈに対して、まず色相で緑、白、赤、青の４色を使用し、発光パターンとしてＡ〜Ｄについてはこれを点滅させ、Ｅ〜Ｈについては点灯したままとすると、８個すべてが異なる光り方となるので、コネクタ５ｂを覗いたとき、チェック用コネクタ１２に設定したものと同じ発光パターンの配列であれば、接続が正しいことが確認できる。
【実施例２】
【００２５】
回線数が少なく、例えば４回線であれば、もっと簡単な確認装置が使用できる。図５は市販のＬＥＤ形ペンライトを使用した装置本体１Ａの斜視図である。光源１５に４個のＬＥＤが使用されているので、これをすべて色相の異なるものに交換する。仕切り板１４がなければこれを作って挿入する。先端のレンズ部分の外周に筒状のアタッチメントを取り付け、コネクタの差込み口１３とする。アタッチメントにはコネクタの向きが所定角度となるよう、キー溝に相当するマークを記入するとよい。あとの使用方法は図２に示したものと同様である。発光パターンは点灯のみであるから、この実施例では光源の点滅による識別は行わない。
【符号の説明】
【００２６】
１，１Ａ…装置本体、  ２ａ，２ｂ…ソケット、  ３ａ，３ｂ…プラグ、  ４…ケーブル、  ５，５ａ，５ｂ…コネクタ、  １１…スイッチ、  １２…チェック用コネクタ、  １３…差込み口、  １４…仕切り板、  １５…光源、  ５１…ガイドピン孔、  ５２…端子、５３…キー、  Ｍａ，Ｍｂ…機器、  Ｓ…駆体。
【図１】
0003166071.tif 000003
【図２】
0003166071.tif 000004
【図３】
0003166071.tif 000005
【図４】
0003166071.tif 000006
【図５】
0003166071.tif 000007
【図６】
0003166071.tif 000008
【図７】
0003166071.tif 000009
【図８】
0003166071.tif 000010